(57)【要約】【課題】防水パネルが落下しにくい照明装置を得る。【解決手段】照明装置１は、外枠４０と、回転構造体３０と、灯具本体１０と、枠ユニット５０と、を備える。外枠４０は、設置面２ａに設けられた取付穴２ｂに固定される。回転構造体３０は、外枠４０に対して回転自在に支持される。灯具本体１０は、回転構造体３０に支持され、光３を照射する。枠ユニット５０は、回転構造体３０に固定される。枠ユニット５０は、反射板５１と、防水パネル５２と、化粧枠５３と、を有する。反射板５１は、灯具本体１０から照射された光を入射口５１ａから取り込んで内面で反射させ、出射口５１ｂから外方へ出射する筒状の部材である。防水パネル５２は、反射板５１の出射口５１ｂ側に配置される。化粧枠５３は、防水パネル５２の周端部を覆う。反射板５１、防水パネル５２、化粧枠５３を一体化した枠ユニット５０が回転構造体３０に固定され、回転構造体３０とともに回転する。【選択図】図９
2018078073.tif 000002
【特許請求の範囲】
【請求項１】
設置面に設けられた取付穴に固定される固定部と、
前記固定部に対して回転自在に支持される回転構造体と、
前記回転構造体に支持され、光を照射する灯具本体と、
前記回転構造体に固定される枠ユニットと、
を備え、
前記枠ユニットは、
前記灯具本体から照射された光を入射口から取り込んで内面で反射させ、出射口から外方へ出射する筒状の反射板と、
前記反射板の前記出射口側に配置されるパネルと、
前記パネルの周端部を覆う化粧枠と、
を有し、
前記反射板、前記パネル、及び前記化粧枠を一体化した前記枠ユニットが前記回転構造体に固定され、前記回転構造体とともに回転することを特徴とする照明装置。
【請求項２】
前記化粧枠の厚み範囲内に前記パネルが配置されていることを特徴とする請求項１に記載の照明装置。
【請求項３】
前記化粧枠と前記パネルとの間が内側パッキンで密閉されていることを特徴とする請求項１又は２に記載の照明装置。
【請求項４】
前記化粧枠の厚み範囲内に前記パネル及び前記内側パッキンが配置されていることを特徴とする請求項３に記載の照明装置。
【請求項５】
前記化粧枠と前記設置面との間が外側パッキンで密閉されていることを特徴とする請求項１から４のいずれか一項に記載の照明装置。
【請求項６】
前記外側パッキンの厚み範囲内に前記パネルが配置されていることを特徴とする請求項５に記載の照明装置。
【請求項７】
前記回転構造体は、前記設置面に対して略垂直な回転軸を中心として回転し、
前記灯具本体は、前記回転軸に対して所定の角度範囲で傾斜し、
前記反射板の前記入射口は、前記回転軸に対して斜めに切断した形状であることを特徴とする請求項１から６のいずれか一項に記載の照明装置。
【発明の詳細な説明】
【技術分野】
【０００１】
本開示は、照明装置に関する。
【背景技術】
【０００２】
近年、居住空間や店舗などにおいてダウンライトが普及しつつある。ダウンライトは、天井などに埋め込んで取り付けられ、下方を照明する照明装置である。光を側方に照射したい場合は、主照射方向（主光軸）を斜め側方に向けるとともに、光を側方へ反射する補助反射板を用いる（例えば、特許文献１参照）。このような補助反射板は、灯具本体と別の構造であり、キックバネなどで灯具本体に保持されるのが通常である。
【先行技術文献】
【特許文献】
【０００３】
【特許文献１】特開２０１４−２０３５４９号公報
【発明の概要】
【発明が解決しようとする課題】
【０００４】
屋内用のダウンライトでは、キックバネなどで補助反射板を保持することができる。しかし、軒下用のダウンライトでは、雨水などの水分が浸入することを防止する防水パネルが必要となる。そのため、防水パネルの重量増しの影響を加えると、キックバネだけの保持では風などの影響による落下が懸念される。
【０００５】
そこで、本開示は、防水パネルが落下しにくい照明装置を得ることを目的とする。
【課題を解決するための手段】
【０００６】
本開示にかかる照明装置は、固定部と、回転構造体と、灯具本体と、枠ユニットとを備える。前記固定部は、設置面に設けられた取付穴に固定される。前記回転構造体は、前記固定部に対して回転自在に支持される。前記灯具本体は、前記回転構造体に支持され、光を照射する。前記枠ユニットは、前記回転構造体に固定される。前記枠ユニットは、反射板と、パネルと、化粧枠とを有する。前記反射板は、前記灯具本体から照射された光を入射口から取り込んで内面で反射させ、出射口から外方へ出射する筒状の部材である。前記パネルは、前記反射板の前記出射口側に配置される。前記化粧枠は、前記パネルの周端部を覆う。前記反射板、前記パネル、及び前記化粧枠を一体化した前記枠ユニットが前記回転構造体に固定され、前記回転構造体とともに回転する。
【発明の効果】
【０００７】
本開示によれば、防水パネルが落下しにくい照明装置を得ることができる。
【図面の簡単な説明】
【０００８】
【図１】一実施形態にかかる照明装置の斜視図であり、（ａ）は、照明装置を天井に取り付けた状態を示す図、（ｂ）は、照明装置を天井から取り外した状態を示す図である。
【図２】図１に示される照明装置の分解斜視図である。
【図３】図２に示される灯具本体の分解斜視図である。
【図４】図２に示される回転構造体の分解斜視図である。
【図５】図２に示される外枠の分解斜視図である。
【図６】図２に示される枠ユニットの分解斜視図である。
【図７】図６に示される化粧枠を上側から見た斜視図である。
【図８】図１に示される照明装置の上面図である。
【図９】図１に示される照明装置の側面図である。
【図１０】図１に示される照明装置の底面図である。
【図１１】図１に示される照明装置の可動を説明するための模式図である。
【図１２】図１に示される照明装置の要部の断面図である。
【図１３】図１に示される照明装置の要部を拡大した拡大図である。
【図１４】図１に示される照明装置を軒下に取り付けた様子を示す模式図である。
【発明を実施するための形態】
【０００９】
次に、図面を参照して、一実施形態にかかる照明装置を説明する。以下の図面の記載において、同一又は類似の部分には同一又は類似の符号を付している。
【００１０】
［外観］
図１は、一実施形態にかかる照明装置１の斜視図であり、（ａ）は、照明装置１を天井２ａに取り付けた状態を示し、（ｂ）は、照明装置１を天井２ａから取り外した状態を示している。この図に示すように、天井２ａには、天井の厚さ方向に略円筒状の取付穴２ｂが形成されている。照明装置１を取付穴２ｂに埋め込むと、照明装置１の下面に設けられた化粧枠で取付穴２ｂが覆われ、天井２ａがほぼフラットになる。照明装置１は、天井裏に配線されている商用電源の電源線（図示省略）に接続され、電力の供給を受ける。以下の説明では、特に断りがない限り、照明装置１が天井２ａに取り付けられた状態を基準に上下の方向を規定するが、この方向は説明の便宜上規定するものである。
【００１１】
ここでは、照明装置１としてグレアレスタイプのユニバーサルダウンライトを例示している。ユニバーサルダウンライトは、光３の照射方向を自由に変えられるフレキシブルな照明装置１であり、主に局部照明に使用される。言い換えると、光の方向や角度を自由にコントロールでき、ダウンライトとスポットライトの両機能を持ったアジャスタブルダウンライトである。
【００１２】
詳細については後述するが、グレアレスタイプのユニバーサルダウンライトにおいては、銀色鏡面仕上げの補助反射板が設けられる。補助反射板の上端開口は、灯具の可動により光効率が低下しないように、また、外観上、上端開口の裏側が極力見えないように、斜めに切断した形状にしている。このように補助反射板の形状が斜めカット形状である場合、灯具の回転に合わせて補助反射板も同様に回転させる。これにより、灯具から照射された光を効率よく補助反射板に入射させることが可能である。
【００１３】
［構成部品］
図２は、図１に示される照明装置１の分解斜視図である。この図に示すように、照明装置１は、灯具本体１０と、ブラケット２０と、回転構造体３０と、外枠４０と、枠ユニット５０とを備える。外枠４０は、天井２ａに設けられた取付穴２ｂに固定される固定部である。回転構造体３０は、外枠４０の内側に取り付けられ、外枠４０に対して回転自在に支持される。灯具本体１０は、光３を照射する灯具であり、外側に張り出したブラケット２０により回転構造体３０に支持される。枠ユニット５０は、反射板、防水パネル、及び化粧枠を一体化したものであり、回転構造体３０にネジで固定される。これにより、外枠４０に対して、灯具本体１０、ブラケット２０、回転構造体３０、及び枠ユニット５０が一体となって回転する構造になっている。
【００１４】
（灯具本体）
図３は、図２に示される灯具本体１０の分解斜視図である。この図に示すように、灯具本体１０は、略円筒状の主部１２と、主部１２の上面から上向きに突出する複数の放熱フィン１１とを備える。主部１２は、例えばアルミニウムのダイカスト成型品からなる。主部１２の下面には、ＬＥＤ（Light Emitting Diode）などの光源１２ａが配置されている。照明装置１を天井２ａに取り付けた状態では下向きにＬＥＤの光が照射される。放熱フィン１１は、アルミダイカストなどの放熱性に優れた金属により形成され、ＬＥＤが発する熱を放出する。ここでは、光源１２ａとしてＬＥＤを例示しているが、光源１２ａは、有機ＥＬなどの半導体発光素子でもよいし、ハロゲンランプや蛍光ランプでもよい。
【００１５】
（回転構造体）
図４は、図２に示される回転構造体３０の分解斜視図である。この図に示すように、回転構造体３０は、回転リング３１と、柱部３２と、回転受け３３とを備える。
【００１６】
回転リング３１は、外枠４０の内側において、外枠４０に対して回転可能に取り付けられる。回転リング３１は、例えば、板金にプレス加工を施すことによって開口３１ａを有するリング状に形成され、外周縁の２箇所から上向きに突起３１ｂが切り起こされている。突起３１ｂの上方にブラケット２０が接続され、ブラケット２０を介して灯具本体１０が首ふり可能に支持される構造になっている。
【００１７】
柱部３２は、回転リング３１と回転受け３３それぞれの３箇所に設けられる。柱部３２の個数は特に限定されるものではない。柱部３２の上端３２ａは回転リング３１に固定され、柱部３２の下端３２ｂは回転受け３３に固定される。ここでは、回転リング３１と回転受け３３の径が異なるため、クランク状の柱部３２を例示している。
【００１８】
回転受け３３は、枠ユニット５０とネジで固定される回転構造物であり、例えばアルミニウムのダイカスト成型品からなる。回転受け３３は、開口３３ａを有する円筒状の筒部３３ｂ１と、筒部３３ｂ１の下端部周縁から径方向の外向きに突出する鍔部３３ｂ２とを備える。鍔部３３ｂ２の下面に枠ユニット５０がネジで固定されることになる。
【００１９】
（外枠）
図５は、図２に示される外枠４０の分解斜視図である。この図に示すように、外枠４０は、上枠４１と、連結部４２と、下枠４３と、外側パッキンＰ１とを備える。
【００２０】
上枠４１は、例えばアルミニウムのダイカスト成型品からなる。上枠４１は、開口４１ａを有する円筒状の筒部４１ｂ１と、筒部４１ｂ１の上端部周縁から径方向の外向きに突出する鍔部４１ｂ２とを備える。筒部４１ｂ１の内径は回転リング３１の外径とほぼ等しく、筒部４１ｂ１の深さは回転リング３１の厚さとほぼ等しい。
【００２１】
下枠４３は、例えばアルミニウムのダイカスト成型品からなる。下枠４３は、開口４３ａを有する円筒状の筒部４３ｂ１と、筒部４３ｂ１の下端部周縁から径方向の外向きに突出する鍔部４３ｂ２とを備える。下枠４３の内径は回転受け３３の外径とほぼ等しく、下枠４３の厚さは回転受け３３の厚さよりも若干小さい。鍔部４３ｂ２の外周縁には、リング状の外側パッキンＰ１が取り付けられる。
【００２２】
連結部４２は、上枠４１と下枠４３それぞれの３箇所に設けられる。連結部４２の個数は特に限定されるものではない。連結部４２は、上下方向に細長く延在する溝４２ｂが形成された側壁部４２ａと、溝４２ｂに沿って上下方向にスライド自在に取り付けられた押さえばね４２ｃとを備える。溝４２ｂは、上端が他の部分よりも幅広に形成され、側面視で略Ｔ字状をしている。押さえばね４２ｃは、図示しないバネにより常時下方に付勢されている。
【００２３】
（枠ユニット）
図６は、図２に示される枠ユニット５０の分解斜視図である。この図に示すように、枠ユニット５０は、反射板（補助反射板）５１と、内側パッキンＰ２と、防水パネル５２と、内側パッキンＰ３と、化粧枠５３とを備える。
【００２４】
反射板５１は、例えばポリブチレンテレフタレート（ＰＢＴ）などの合成樹脂の成型品からなる。反射板５１は、上方から下方に向かうにつれて拡径する略円錐台形状に形成され、その下端部周縁から径方向の外向きに突出するフランジＦが一体に形成されている。反射板５１の内面には、反射率を高めるために白色塗装が施されている。入射口５１ａは、灯具本体１０の可動により光効率が低下しないように、また、外観上、入射口５１ａの裏側が極力見えないように、斜めに切断した形状（楕円形状）にしている。反射板５１は、灯具本体１０の下面に配置されたＬＥＤなどの光源１２ａが入射口５１ａに臨むようにして配置される。光源１２ａから斜め下向きに照射された光３を内面で反射させ、出射口５１ｂから外方へ出射するようになっている。
【００２５】
防水パネル５２は、防水タイプのパネルであり、反射板５１のフランジＦと外径がほぼ等しい円板型に形成される。防水パネル５２は、リング状の内側パッキンＰ２を介して反射板５１のフランジＦに取り付けられる（後述する）。防水パネル５２は、光源１２ａから照射された光３を透過する。透光性部材としては、用途に応じて透明のものや、乳白色等の半透明のものを用いる。照明の輝度を高くすることや、間接照明用などで光を遠くまで照射することが求められる場合は、光源１２ａから照射された光３が拡散しないように透明な透光性部材を用いる。
【００２６】
化粧枠５３は、例えばアルミニウムのダイカスト成型品からなる。化粧枠５３は、防水パネル５２の周端部を覆う枠であり、防水パネル５２の外径よりも内側パッキンＰ２，Ｐ３の幅分だけ小さい内径の開口５３ａを有する。化粧枠５３に設けられたネジ穴５３ｂにネジ５４を挿入し、回転構造体３０の回転受け３３に設けられたネジ穴に固定する構造になっている。
【００２７】
図７は、図６に示される化粧枠５３を上側から見た斜視図である。この図に示すように、開口５３ａを囲うように仕切り壁５３ｄが立設され、また、仕切り壁５３ｄよりも背の低い外周壁５３ｅが外周縁から立設されている。仕切り壁５３ｄの内側の底面５３ｃ１には、内側パッキンＰ３、防水パネル５２、内側パッキンＰ２、反射板５１が順に取り付けられる。化粧枠５３、内側パッキンＰ３、防水パネル５２、内側パッキンＰ２、及び反射板５１は、例えば接着剤により相互に接着されてもよい。一方、仕切り壁５３ｄの外側の底面５３ｃ２には、回転構造体３０の回転受け３３が例えばネジ５４により固定される。化粧枠５３の外径は、天井２ａの取付穴２ｂの内径よりも大きいため、照明装置１を取付穴２ｂに埋め込むと、化粧枠５３で取付穴２ｂが覆われる。
【００２８】
［全体構成］
図８は、図１に示される照明装置１の上面図である。図９は、図１に示される照明装置１の側面図である。図１０は、図１に示される照明装置１の底面図である。これらの図に示すように、外枠４０の内側に回転構造体３０が取り付けられ、回転構造体３０の上側にブラケット２０を介して灯具本体１０が取り付けられ、回転構造体３０の下側に枠ユニット５０が取り付けられる。外枠４０の上枠４１の上に回転構造体３０の回転リング３１が載置され、適度な摩擦力をもって回転リング３１を回転させることが可能となっている。
【００２９】
なお、図８に示すように、外枠４０に対する回転構造体３０の回転位置を固定する回転止めＳを設けてもよい。例えば、回転構造体３０を所望の回転位置に合わせ、回転構造体３０、外枠４０、及び回転止めＳをネジ止めするようにしてもよい。
【００３０】
また、図９に示すように、灯具本体１０が傾斜する角度範囲を規制する規制機構を設けてもよい。例えば、回転中心２１から所定の角度範囲だけ開口された長穴をブラケット２０に設け、長穴に取り付けられた蝶ボルト２２の位置を調整するようにしてもよい。
【００３１】
更に、図９に示すように、外枠４０にインシュロック６１を設けてもよい。インシュロック６１により外枠４０を天井２ａの取付穴２ｂ側に連結しておけば、より確実に照明装置１の落下を防止することが可能となる。
【００３２】
［照射方向］
図１１は、図１に示される照明装置１の可動を説明するための模式図である。この図に示すように、回転構造体３０は、天井２ａに対して略垂直な回転軸Ｚを中心として回転させることができる。回転軸Ｚは、側面視において回転構造体３０の中央を上下方向に通る線として表すことができる。既に説明したように、回転構造体３０には灯具本体１０と枠ユニット５０が固定されている。そのため、灯具本体１０の回転に合わせて枠ユニット５０も同様に回転させることが可能である。
【００３３】
また、灯具本体１０は、回転軸Ｚに対して所定の角度範囲（例えば３０°の範囲）で傾斜させることができる。
【００３４】
このように、照明装置１は、回転軸Ｚに対する傾斜や回転軸Ｚを中心とした回転によって光３の照射方向を自由に変えることができるフレキシブルな照明装置１となっている。
【００３５】
なお、本実施形態では、枠ユニット５０を回転構造体３０に固定するとともに、灯具本体１０を回転構造体３０に支持した状態で、灯具本体１０が、楕円状の入射口５１ａの長軸方向に沿って傾斜する（首ふりを行う）ようにしている。こうすれば、灯具本体１０から照射された光３をより効率よく枠ユニット５０に入射させることが可能となる。
【００３６】
［密閉性］
図１２は、図１に示される照明装置１の要部の断面図である。この図に示すように、枠ユニット５０を回転構造体３０にネジ５４で固定すると、化粧枠５３の内側と外側がパッキンにより密閉される。具体的には、化粧枠５３と防水パネル５２との間が内側パッキンＰ２，Ｐ３により密閉され、化粧枠５３と天井２ａとの間が外側パッキンＰ１により密閉される。これにより、化粧枠５３の内側からも外側からも雨水などの水分が浸入することを防止することが可能である。
【００３７】
図１３は、図１２の一部を拡大した拡大図である。この図に示すように、照明装置１を天井２ａの取付穴２ｂに取り付けると、天井２ａと外枠４０の鍔部４３ｂ２との間に外側パッキンＰ１が挟み込まれ、外側パッキンＰ１に均一に圧力がかかり、外側パッキンＰ１が均一に圧縮される。
【００３８】
本実施形態では、反射板５１、防水パネル５２、及び化粧枠５３を一体化した枠ユニット５０を回転構造体３０にネジ５４で固定するようにしている。このとき、防水パネル５２は、図１３に示すように、化粧枠５３の厚み範囲ｔ１内に配置される。化粧枠５３の厚み範囲ｔ１とは、言い換えると、化粧枠５３が配置される高さ位置の範囲である。また、化粧枠５３の厚み範囲ｔ１内に防水パネル５２及び内側パッキンＰ２，Ｐ３が配置される。また、外側パッキンＰ１の厚み範囲ｔ２内に防水パネル５２が配置される。外側パッキンＰ１の厚み範囲ｔ２とは、言い換えると、外側パッキンＰ１が配置される高さ位置の範囲である。このような構成によれば、防水パネル５２を化粧枠５３の外側に取り付けた場合に比べ、上下方向の厚みを抑えることが可能である。
【００３９】
なお、密閉性を確保する構造はこれに限定されるものではない。すなわち、防水パネル５２と化粧枠５３とで反射板５１の内部に雨水などの水分が浸入することを防止する構造であればよく、種々の変形が可能である。
【００４０】
［施工方法］
次に、照明装置１の施工方法について説明する。まず、灯具本体１０を、回転軸Ｚに対して傾斜させたり、回転軸Ｚを中心として回転させたりして、光源１２ａの照射方向が所望の方向となるように調整する。次いで、照明装置１の上部を天井２ａの取付穴２ｂに挿入する。こうすることで、下方に付勢されている押さえばね４２ｃと化粧枠５３によって天井材２が挟み込まれ、照明装置１が天井２ａに固定されることになる（図１３参照）。
【００４１】
［適用例］
図１４は、図１に示される照明装置１を軒下に取り付けた様子を示す模式図である。ここでは、照明装置１として軒下用のダウンライトを例示している。もちろん、この軒下用のダウンライトもグレアレスタイプのユニバーサルダウンライトである。
【００４２】
軒下は、屋内でいう天井２ａに相当するため、以下、軒下にも天井２ａと同じ符号２ａを用いる。また、軒下２ａと天井２ａとを一括して「設置面２ａ」という場合がある。
【００４３】
図１４に示すように、軒下２ａに取り付けられた照明装置１が居住者Ｕの足元の階段を照らしている。軒下２ａは雨や風などの影響を受けやすいため、照明装置１には防水パネル５２が必要である。本実施形態にかかる照明装置１は、防水パネル５２が落下しにくい構成を採用しているため、軒下用のダウンライトとして好適である。
【００４４】
以上説明したように、本実施形態にかかる照明装置１は、外枠４０と、回転構造体３０と、灯具本体１０と、枠ユニット５０とを備える。外枠４０は、設置面２ａに設けられた取付穴２ｂに固定される。回転構造体３０は、外枠４０に対して回転自在に支持される。灯具本体１０は、回転構造体３０に支持され、光３を照射する。枠ユニット５０は、回転構造体３０に固定される。枠ユニット５０は、反射板５１と、防水パネル５２と、化粧枠５３とを有する。反射板５１は、灯具本体１０から照射された光を入射口５１ａから取り込んで内面で反射させ、出射口５１ｂから外方へ出射する筒状の部材である。防水パネル５２は、反射板５１の出射口５１ｂ側に配置される。化粧枠５３は、防水パネル５２の周端部を覆う。反射板５１、防水パネル５２、化粧枠５３を一体化した枠ユニット５０が回転構造体３０に固定され、回転構造体３０とともに回転する。これにより、防水パネル５２が落下しにくい照明装置１を得ることが可能である。
【００４５】
また、化粧枠５３の厚み範囲ｔ１内に防水パネル５２が配置されている。これにより、防水パネル５２を化粧枠５３の外側に取り付けた場合に比べ、上下方向の厚みを抑えることが可能である。
【００４６】
また、化粧枠５３と防水パネル５２との間が内側パッキンＰ２，Ｐ３で密閉されている。これにより、化粧枠５３の内側から雨水などの水分が浸入することを防止することが可能である。
【００４７】
また、化粧枠５３の厚み範囲ｔ１内に防水パネル５２及び内側パッキンＰ２，Ｐ３が配置されている。これにより、化粧枠５３の内側から雨水などの水分が浸入することを防止しつつ、上下方向の厚みを抑えることが可能である。
【００４８】
また、化粧枠５３と設置面２ａとの間が外側パッキンＰ１で密閉されている。これにより、化粧枠５３の外側から雨水などの水分が浸入することを防止することが可能である。
【００４９】
また、外側パッキンＰ１の厚み範囲ｔ２内に防水パネル５２が配置されている。これにより、化粧枠５３の外側から雨水などの水分が浸入することを防止しつつ、上下方向の厚みを抑えることが可能である。
【００５０】
また、回転構造体３０は、設置面２ａに対して略垂直な回転軸Ｚを中心として回転することが可能である。更に、灯具本体１０は、回転軸Ｚに対して所定の角度範囲で傾斜（回転軸Ｚと灯具本体１０の主照射方向とのなす角が所定の角度範囲となるように傾斜）することが可能である。そして、反射板５１の入射口５１ａは、回転軸Ｚに対して斜めに切断した形状である。すなわち、入射口５１ａの開口面は、回転軸Ｚが上下方向を向くようにした状態で、水平面に対して傾斜している。これにより、灯具本体１０から照射された光３の照射方向を調整することができる上、灯具本体１０から照射された光３の照射方向にかかわらず、灯具本体１０から照射された光３を効率よく枠ユニット５０に入射させることが可能となる。
【００５１】
以上、本開示の好適な実施形態について例示して説明したが、上記実施形態には限定されず、種々の変形が可能である。
【００５２】
例えば、上記実施形態では、照明装置１として天井２ａや軒下２ａに取り付けられるグレアレスタイプのユニバーサルダウンライトを例示したが、これに限定されるものではない。すなわち、本実施形態にかかる照明装置１は、建物の屋内または屋外を画成する壁部に取り付けられる照明装置１であって、防水パネル５２を備える様々なタイプの照明装置１に適用することが可能である。
【００５３】
また、上記の説明では言及しなかったが、天井２ａに形成される取付穴２ｂは、天井材２を貫通する貫通孔であってもよいし、天井材２を貫通しない窪み部であってもよい。すなわち、天井２ａなどの設置面２ａ側の構造は特に限定されるものではなく、様々な構造を採用することが可能である。
【００５４】
更に、反射板５１と防水パネル５２との間にレンズ等の部材が介在してもよい。もちろん、このようなレンズ等の部材も枠ユニット５０に収め、上記と同様の方法により枠ユニット５０を回転構造体３０に固定することが可能である。
【００５５】
更に、照明装置１の構成部品を組み立てる手順や、照明装置１を天井２ａや軒下２ａなどに取り付ける施工手順は、上記の手順に限定されず適宜変更することが可能である。
【００５６】
更に、上記の説明では、設置面２ａに設けられた取付穴２ｂに固定される固定部として外枠４０を例示したが、これに限定されるものではない。すなわち、固定部は、回転構造体３０の外側に設けられる枠に限定されるものではなく、種々の変形が可能である。
【００５７】
更に、防水パネル５２を例示したが、防水タイプでないパネルを防水パネル５２に代えて枠ユニット５０に取り付けることも可能である。
【符号の説明】
【００５８】
１    照明装置
２ａ  設置面（天井、軒下）
２ｂ  取付穴
３    光
１０  灯具本体
３０  回転構造体
４０  固定部（外枠）
５０  枠ユニット
５１  反射板
５１ａ  入射口
５１ｂ  出射口
５２  パネル（防水パネル）
５３  化粧枠
５４  ネジ
Ｐ１  外側パッキン
Ｐ２，Ｐ３  内側パッキン
ｔ１  化粧枠の厚み範囲
ｔ２  外側パッキンの厚み範囲
Ｚ    回転軸
【図１】
2018078073.tif 000003
【図２】
2018078073.tif 000004
【図３】
2018078073.tif 000005
【図４】
2018078073.tif 000006
【図５】
2018078073.tif 000007
【図６】
2018078073.tif 000008
【図７】
2018078073.tif 000009
【図８】
2018078073.tif 000010
【図９】
2018078073.tif 000011
【図１０】
2018078073.tif 000012
【図１１】
2018078073.tif 000013
【図１２】
2018078073.tif 000014
【図１３】
2018078073.tif 000015
【図１４】
2018078073.tif 000016